(57)【特許請求の範囲】
【請求項１】
リール本体に回転可能に支持され、一対の支持腕と円筒部とを具備するロータと、このロータの逆転方向の回転を防止する転がり式一方向クラッチと、この一方向クラッチを作動状態と非作動状態とに切換える切換え部材と、前記一対の支持腕に釣糸放出位置と釣糸巻取り位置との間で回動可能に取り付けられた一対のベール支持部材と、このベール支持部材の一方側に取り付けられ、リール本体に支持されたスプールに釣糸を案内する釣糸案内部と、前記一対のベール支持部材間に配されたベールと、前記ロータを駆動する巻取り駆動機構と、この巻取り駆動機構を駆動するようにリール本体に回転可能に支持されたハンドルとを有する魚釣用スピニングリールにおいて、
前記ベールを釣糸放出位置に回動したときに、前記ロータの釣糸巻取り方向への回転を規制する回転規制機構を有しており、
前記回転規制機構は、前記ベールを釣糸放出位置に回動した際に釣糸案内部を最上方領域の位置で回転規制する規制部を有するリール本体側規制体と、一方の支持腕内に配設されて上下方向に移動可能なロータ側規制体とを備え、
前記ベールが釣糸放出位置に回動してロータを釣糸巻取り方向に回転した際に、前記ロータ側規制体が前記リール本体規制体の規制部と当接してロータの巻取り方向への回転を規制する正転防止作用と、前記転がり式一方向クラッチによるロータの逆転防止作用とによって前記ロータの回転を規制したことを特徴とする魚釣用スピニングリール。
【請求項２】
前記両規制体の少なくともいずれか一方には、当接時に、ある一定の負荷を超える力が両規制体間に作用したときに、ロータの回転規制状態を解除することが可能な規制解除手段が設けられていることを特徴とする請求項１に記載の魚釣用スピニングリール。
【発明の詳細な説明】
【０００１】
【発明の属する技術分野】
本発明は、魚釣用スピニングリールに関する。
【０００２】
【従来の技術】
従来、魚釣用スピニングリールは、リール本体に前後動可能に支持され、釣糸が巻回されるスプールと、リール本体に回転可能に支持され、支持腕と円筒部とで構成されたロータと、前記支持腕の先端に回動可能に取り付けられ、前記スプールに釣糸を案内する釣糸案内部及びベールを支持したベール支持部材とを備えており、リール本体に取り付けられたハンドルを巻取り操作した際、スプールの周囲を回転する釣糸案内部を介して、前後動するスプールに釣糸を巻回するよう構成されている。
【０００３】
そして、仕掛けの投擲に際しては、前記ベール支持部材を釣糸巻取り位置から釣糸放出位置に回動して起立させ、釣竿をスイングすると共に、指でピックアップしている釣糸を所定のタイミングで開放する操作（キャスティング操作）が行なわれるが、釣竿スイング時の勢いで、不意にハンドルが回転してベール復帰機構が機能しベールが釣糸巻取り位置に復帰したり、ベールの位置する場所によっては振り落ち（ベールの釣糸巻取り位置への復帰）が発生することがある。
【０００４】
このように、仕掛け投擲時にベールが釣糸巻取り位置に復帰すると、急激に仕掛けの放出が止まってしまうため、糸切れ等が発生して仕掛けを紛失してしまったり、糸切れが発生する前に釣竿やリールを破損してしまうことがある。
【０００５】
上記した不具合を解消するために、例えば、実用新案登録第２５０２７２７号、実用新案登録第２５０２７２８号等に開示されているように、リール本体に形成されたロータ後部の開口を閉塞するフランジ部に凹凸部を複数設け、ベールを釣糸放出位置に回動したときに、この凹凸部にロック部材を係合させることでロータの回転を規制する技術が公知となっている。
【０００６】
このような公知技術によれば、ロータの不用意な回転が規制されるため、仕掛け投擲時における釣糸のピックアップ操作が行い易くなり、かつキャスティング操作時にベールの振り落ちを防ぐことが可能になる。
【０００７】
【発明が解決しようとする課題】
しかし、上記した公知技術によれば、ベールを起こした際に、規制部とロック部材との衝突によって、ロータが規制部間でガタ付くため、精密感を損なうと共に、異音も発生してしまい、キャスティング時に不快感となって、集中力を低下させる問題がある。
【０００８】
また、上記のように複数の凹凸部（規制部）を形成すると、ベールを起こす位置によっては、釣糸をピックアップし難くなる場合があり、また、指先の位置とベールの位置が重なってしまうと、サミング操作し難い位置でロータが規制されてしまうことから、かえって操作性が悪化するという問題もある。
【０００９】
本発明は、上記した問題に基づいてなされたものであり、仕掛け投擲時にロータをガタ付くことなく回転規制して、ベールの振り落ちを効果的に防止する魚釣用スピニングリールを提供することを目的とする。また、本発明は、上記した目的に加え、仕掛け投擲時において、釣糸のピックアップ等、釣糸操作性に優れた魚釣用スピニングリールを提供することを目的とする。
【００１０】
【課題を解決するための手段】
上記課題を解決するために、本発明に係る魚釣用スピニングリールは、リール本体に回転可能に支持され、一対の支持腕と円筒部とを具備するロータと、このロータの逆転方向の回転を防止する転がり式一方向クラッチと、この一方向クラッチを作動状態と非作動状態とに切換える切換え部材と、前記一対の支持腕に釣糸放出位置と釣糸巻取り位置との間で回動可能に取り付けられた一対のベール支持部材と、このベール支持部材の一方側に取り付けられ、リール本体に支持されたスプールに釣糸を案内する釣糸案内部と、前記一対のベール支持部材間に配されたベールと、前記ロータを駆動する巻取り駆動機構と、この巻取り駆動機構を駆動するようにリール本体に回転可能に支持されたハンドルと、前記ベールを釣糸放出位置に回動したときに、前記ロータの釣糸巻取り方向への回転を規制する回転規制機構とを有しており、前記回転規制機構は、前記ベールを釣糸放出位置に回動した際に釣糸案内部を最上方領域の位置に回転規制する規制部を有するリール本体側規制体と、一方の支持腕内に配設されて上下方向に移動可能なロータ側規制体とを備え、前記ベールが釣糸放出位置に回動してロータを釣糸巻取り方向に回転した際に、前記ロータ側規制体が前記リール本体規制体の規制部と当接してロータの巻取り方向への回転を規制する正転防止作用と、前記転がり式一方向クラッチによるロータの逆転防止作用とによって前記ロータの回転を規制したことを特徴としている。
【００１１】
上記した構成によれば、仕掛け投擲時において、ロータは、転がり式一方向クラッチの逆転防止作用、及び回転規制機構の各規制体による正転防止作用によって回転不能状態に維持されるため、回転方向でのガタ付きが生じることはない。
【００１２】
【発明の実施の形態】
図１及び図２は、本発明に係る魚釣用スピニングリールの一実施形態を示す図であり、図１は、全体構成を示す図、図２は、主要部の構成を示した部分断面図である。
【００１３】
魚釣用スピニングリール１は、釣竿に装着するための脚部２ａが形成されたリール本体２と、リール本体前方に回転可能に配されたロータ３と、ロータ３の回転運動と同期して前後動可能に配されたスプール５とを有している。
【００１４】
リール本体２内には、ハンドル軸７が回転可能に支持されており、その突出端部には、巻取り操作されるハンドル８が取り付けられている。前記ハンドル軸７には、ロータ３を巻取り駆動するための巻取り駆動機構が係合しており、この巻取り駆動機構は、ハンドル軸７に取り付けられ内歯が形成された駆動ギヤ９と、この駆動ギヤ９に噛合し、ハンドル軸７と直交する方向に延出すると共に内部に軸方向に延出する空洞部が形成されたピニオン１０とを備えている。ピニオン１０は、軸受を介して回転可能に支持されており、その空洞部には、ハンドル軸７と直交する方向に延出し、先端側にスプール５を取り付けたスプール軸１１が軸方向に移動可能に挿通、支持されている。
【００１５】
また、前記ピニオン１０には、スプール軸を前後動させるオシレーティング機構が係合している。このオシレーティング機構は、スプール軸と平行に延出するウオームシャフト１２と、このウオームシャフト１２の外周面に形成された螺旋溝１２ａに係合すると共に、スプール軸１１の基端部にビス止めして取り付けられた係合子１３とを有している。ウオームシャフト１２の端部には、前記ピニオン１０と噛合するギヤ１５が取り付けられており、ウオームシャフト１２が、ピニオン１０及びギヤ１５を介して回転駆動されることで、スプール軸１１は螺旋溝１２ａ内に案内される係合子１３を介して前後動される。
【００１６】
前記ピニオン１０はスプール側に向けて延出しており、その先端部において、ナット１７を介して前記ロータ３が取り付けられている。また、ピニオン１０には、その中間部分に転がり式の一方向クラッチ２０が取り付けられており、リール本体２の外部に取り付けられている切換え部材２２を回動操作することで、一方向クラッチを作動状態と非作動状態に切換えるように構成されている。この場合、切換え部材２２を作動状態に切換えることで、ハンドル８（ロータ３）の逆転方向の回転が防止されるようになっている。
【００１７】
前記ロータ３は、スプール５のスカート部５ａ内に位置する円筒部３ａと、一対の支持腕３ｂを具備している。各支持腕３ｂの前端部には、ベール支持部材３ｃが釣糸巻取り位置と釣糸放出位置との間で回動自在に支持されており、これらベール支持部材間には、放出状態にある釣糸をピックアップするベール３ｄが配されている。この場合、ベール３ｄは、一方の基端部がベール支持部材３ｃに取り付けられており、他方の基端部がベール支持部材３ｃに一体的に設けられた釣糸案内部３ｅに取り付けられている。
【００１８】
前記スプール５は、スカート部５ａとフランジ５ｂとの間に釣糸が巻回される巻回胴部５ｃを備えており、前記スプール軸１１に、ドラグノブ２５を介して取り付けられている。
【００１９】
上記した構成により、ハンドル８を巻取り操作することで、ロータ３が駆動ギヤ９およびピニオン１０を介して回転駆動され、かつスプール５がピニオン１０およびオシレーティング機構を介して前後動され、釣糸は、釣糸案内部３ｅを介してスプール５の巻回胴部５ｃに均等に巻回される。
【００２０】
上記した構成のスピニングリールにおいて、リール本体２及びロータ３には、ベール３ｄを釣糸放出位置に回動させた際に、ロータ３の釣糸巻取り方向への回転を規制する回転規制機構３０が設けられている。以下、本実施の形態における回転規制機構の構成を、図３乃至図６を併せて参照しながら説明する。
【００２１】
なお、これらの図において、図３は、支持腕の外カバー３ｆ（図２参照）を取外して、ロータ側規制体を露出させた状態を示しており、（ａ）は、ベールが釣糸巻取り位置に回動された状態を示す図、（ｂ）は、ベールが釣糸放出位置に回動された状態を示す図、図４（ａ）は、図３（ａ）のＡ−Ａ線に沿った断面図、図４（ｂ）は、図（ａ）のＣ−Ｃ線に沿った断面図、図５（ａ）は、図３（ｂ）のＢ−Ｂ線に沿った断面図、図５（ｂ）は、図（ａ）のＤ−Ｄ線に沿った断面図、そして、図６は、スプールを取外した状態のリール本体の前部を示す正面図であって、（ａ）は、ロータ側規制体とリール本体側規制体が当接する前の状態を示す図、（ｂ）は、ロータ側規制体とリール本体側規制体が当接した状態を示す図である。
【００２２】
回転規制機構３０は、一方の支持腕３ｂ内に配設され、上下方向に移動可能なロータ側規制体３１と、リール本体２の前部に設けられ、ロータ側規制体３１の一部が当接可能なリール本体側規制体５０とを備えている。この場合、リール本体側規制体５０は、リール本体２の前端面の外周部分（フランジ２ｂ）に突出形成されたものであり、以下に述べるロータ側規制体の当接部が当接して、ロータの釣糸巻取り方向への回転を規制する規制部５０ａを備えている。
【００２３】
本実施形態におけるロータ側規制体３１は、支持腕３ｂ内に延出するように棒状に構成されており、その一端側には外側に向けてボス３２が屈曲形成され、他端側には支持腕３ｂから円筒部３ａ内に入り込むようにしてボス（当接部）３３が屈曲形成されている。
【００２４】
前記支持腕３ｂに回動可能に支持されたベール支持部材３ｃには、その回動支持部分の近傍に円弧状の長孔３ｇが形成されており、この長孔内にロータ側規制体３１に形成されたボス３２が配されている。また、支持腕３ｂの下端部には、上下方向に延出する長孔３ｈが形成されており、この長孔内にロータ側規制体３１に形成された前記ボス３３が配されている。
【００２５】
上記した構成において、ボス３２，３３が形成されたロータ側規制体３１と、各長孔３ｇ，３ｈとは、以下のような位置関係、及び作動するよう構成されている。
【００２６】
図３（ａ）及び図４（ａ），（ｂ）に示すように、ベール３ｄが釣糸巻取り位置に回動された状態にあるとき、ボス３２は長孔３ｇの下側端部３ｍと係合し、かつボス３３は長孔３ｈの上方に位置している。このとき、ボス３３は、リール本体２に形成されたリール本体側規制体５０と干渉しない位置、すなわち、ロータが回転しても、ボス３３は、リール本体側規制体５０の規制部５０ａと当接しないようになっている。
【００２７】
そして、ベール３ｄを図３（ｂ）に示すように、釣糸放出位置に向けて回動すると、長孔３ｇの上側端部３ｎがボス３２と係合し、ボス３２（ロータ側規制体３１）を下方に向けて押し下げ、最終的に釣糸放出位置に回動されると、下端側のボス３３は、図５（ａ）に示すように、長孔３ｈの下方に位置するようになっている。このとき、ボス３３は、図５（ｂ）に示すように、前記リール本体側規制体５０と干渉する位置、すなわち、ロータが釣糸巻取り方向に回転すると、ボス３３がリール本体側規制体５０の規制部５０ａに当接して、その回転が規制されるようになっている。
【００２８】
上記した構成において、ロータの回転を規制するリール本体側規制体５０を形成しておく位置は任意であるが、図６（ａ），（ｂ）に示すような所定位置、すなわち、仕掛け投擲時において、ベール３ｄを釣糸放出位置に回動した際、釣糸案内部３ｅが最上方領域で回転規制されるような位置（本実施形態では、脚部２ａと反対側の位置）に形成しておくことが望ましい。
【００２９】
以下、上述したような回転規制機構を組み込んだ魚釣用スピニングリールの作用について説明する。
仕掛けを投擲するに際して、ベール３ｄを図３（ａ）に示す釣糸巻取り位置から図３（ｂ）に示す釣糸放出位置に回動すると、ロータ側規制体３１は、ボス３２に当て付く長孔３ｇの上側端部３ｎによって押し下げられ、図３（ｂ）に示す位置に移動され、これによりボス３３は、リール本体側規制体５０の規制部５０ａと当接可能な位置に入り込む。
【００３０】
ロータ３は、転がり式の一方向クラッチ２０によって逆転方向の回転が阻止されているため、ベール３ｄを釣糸放出位置に回動する際には、正転方向のみ回転可能となっているが、ロータ３を回転操作すると、ボス３３が規制部５０ａに当接し、これにより、ロータ３は正転方向への回転も規制されてしまい、正逆転不能状態となる。
【００３１】
すなわち、仕掛けを投擲する際には、転がり式一方向クラッチ２０の逆転防止作用、及び回転規制機構３０の正転防止作用によって、ロータ３は、回転方向のガタ付きや異音が生じない状態で固定される。したがって、釣竿を勢い良くスイングしても、ロータ３（ハンドル８）は全くガタ付かないことから、振動等によってベール３ｄが振り落ちること、或いはスイング時の慣性等によってベール３ｄが振り落ちることが無くなり、キャスティングに集中でき、投擲距離を安定して伸ばすことが可能となる。
【００３２】
また、上記した構成では、リール本体側規制体５０を所定位置、すなわちベール３ｄを釣糸放出位置に回動した際、図６（ｂ）に示すように、釣糸案内部３ｅが最上方領域で回転規制されるような位置に形成していることから、ロータが、図６（ａ）に示すような任意の位置にあったとしても、必然的に図６（ｂ）に示す位置で回転規制がなされるため、仕掛け投擲時において、釣糸を指でピックアップする操作が容易に行なえるようになる。
【００３３】
さらに、仕掛け投擲時においては、図６（ｂ）に示すように、ベール３ｄが側方に位置した状態でロータ３が固定されるため、キャスティング時の指の操作を邪魔することが無くなって操作性の向上が図れると共に、ベール３ｄの振り落ち方向への力の作用を殺す位置にロータが固定されることから、キャスティング時にベールが振り落ちることをより効果的に防止することが可能となる。
【００３４】
そして、仕掛け投擲後に、ベール３ｄを図３（ａ）に示す釣糸巻取り位置に回動させると、図４（ａ），（ｂ）に示すように、ボス３３は、リール本体側規制体５０と干渉しない位置に移動されるため、ロータ３は自由回転可能な状態となる。
【００３５】
図７は、上記した実施形態の変形例を示す図であり、ロータ側規制体３１のボス３３とリール本体側規制体５０とが当接した状態を示す図である。この変形例は、両規制体３１，５０が当接する際に生じる衝撃を吸収するように、衝撃吸収手段を設けたものであり、具体的には、リール本体側規制体５０の規制部５０ａに、ゴム等の衝撃吸収部材５０ｂを取着したものである。
【００３６】
このような構成によれば、ベールが釣糸放出位置にある状態で、ハンドルの回転で勢い良くロータを回転させたときや、落下の衝撃によるロータの釣糸巻取り方向への回転力等の強い衝撃が生じても、衝撃吸収部材が両規制体の当接時における衝撃を吸収するため、両規制体の破損等を防止することが可能となる。
【００３７】
なお、このような衝撃吸収手段は、ロータ側規制体３１と、リール本体側規制体５０の少なくともいずれか一方に設けておけば良い。また、衝撃吸収手段については、例えば、両規制体の当接部分の間にバネ部材を配設して当接時の衝撃を吸収したり、あるいは、規制体３１，５０を当接方向に変位可能となるように支持して当接時の衝撃を吸収する等、種々変形することが可能である。
【００３８】
次に、図８乃至図１０を参照して、本発明の第２の実施形態を説明する。これらの図において、図８は、スプールを取外した状態のリール本体の前部を示す正面図であって、（ａ）は、ロータ側規制体とリール本体側規制体が当接する前の状態を示す図、（ｂ）は、ロータ側規制体とリール本体側規制体が当接した状態を示す図、図９は、支持腕の内部構成を示す図であって、（ａ）は、ロータ側規制体とリール本体側規制体が当接する前の状態を示す図、（ｂ）は、図（ａ）のＥ−Ｅ線に沿った断面図、そして、図１０は、支持腕の内部構成を示す図であって、（ａ）は、ロータ側規制体がリール本体側規制体を乗り越えている状態を示す図、（ｂ）は、図（ａ）のＦ−Ｆ線に沿った断面図である。
【００３９】
なお、以下に説明する実施形態では、前記した実施形態と同様な機能を有する部分については、同一の参照符号を付し、その説明を省略する。
【００４０】
本実施形態におけるロータ側規制体３１ａは、上記した実施形態のロータ側規制体３１と同様な形状で構成されているが、リール本体側規制体と当接するボス３３が、図１０（ａ）に示すように、それ自体が弾性変形可能となるような材質（例えば、ピアノ線、バネ用鋼線等）で形成されている。
【００４１】
一方、リール本体側規制体６０は、リール本体２とは別体で構成されており、固定ビス６２を介して、リール本体２の前部に一体的に設けられている。この場合、リール本体２のフランジ２ｂ部分に、リール本体側規制体６０の両側縁が当て付くよう突部２ｄを形成しておくことが好ましく、このような突部を形成しておくことで、リール本体側規制体６０に負荷が作用しても、その位置を確実に固定しておくことが可能となる。なお、リール本体２と別体で構成されるリール本体側規制体６０については、樹脂で形成することが好ましく、それ以外にも、Ａｌ、ＢＳ、母材をＭｇとしたＡｌや樹脂等で形成することが可能である。
【００４２】
また、ロータ側規制体およびリール本体側規制体には、少なくともいずれか一方に、両者が当接した際、ロータの釣糸巻取り方向への回転規制が解除できるように規制解除手段を設けておくのが好ましい。本実施形態における規制解除手段は、上記したように、ロータ側規制体３１ａに弾性変形可能なボス３３を設け、かつリール本体側規制体６０にロータの回転方向に沿って上昇する傾斜面６０ａを形成した構成となっており、ボス３３が所定の負荷以上でリール本体側規制体６０に当接した際、図１０（ａ），（ｂ）に示すように、ボス３３が弾性変形してそれを乗り越えるようにしている。
【００４３】
上記したような構成によれば、ロータ側規制体およびリール本体側規制体に、ある一定以上の力が加わると（例えば、ベールが釣糸放出位置にある状態で、ハンドルの回転で勢い良くロータを回転させたときや、落下の衝撃によるロータの釣糸巻取り方向への回転力等）、ロータの規制状態を解除するため、両規制体の破損等を防止することが可能となり、耐久性のより向上が図れるようになる。
【００４４】
また、リール本体側規制体６０を、リール本体２と別体で構成し、これを一体的にリール本体に取り付けた構成としたことで、リール本体側規制体６０が摩耗したり破損しても、リール本体の表面処理を痛めることなく、又、それ自身を交換するのみで初期性能状態に回復できるので、低コストでかつリール本体の耐用年数を格段に伸ばすことが可能となる。
【００４５】
なお、本実施形態は、例えば、以下のように変形することが可能である。
【００４６】
リール本体側規制体６０については、図１１（ａ），（ｂ）に示すように、リール本体２と共に一体形成した構成、すなわち、リール本体２のフランジ２ｂと一体形成したものであっても良い。
【００４７】
また、上記した規制解除手段は、ロータ側規制体のボス部分が弾性変形可能となるように構成したが、ロータ側規制体は、例えば、図１２（ａ），（ｂ）に示すように構成することが可能である。
【００４８】
この変形例のロータ側規制体３５は、上述した実施形態と同様、支持腕３ｂ内を延出する棒状に構成されているが、その中間部分に、ロータ側規制体３５の端部の変位を許容するための変位部３７が形成されている。具体的には、ロータ側規制体３５は、ボス３２が形成された上方部材３５ａと、リール本体側規制体と当接するボスが形成された下方部材３５ｂとを有しており、変位部３７は、各部材の対向端部を収容するバネ収容部３８と、各部材を離反する方向に付勢した状態に保持するバネ３８ａを備えて構成されている。
【００４９】
このような構成によれば、ロータ側規制体３５に形成されているボスが所定の負荷以上で、図１０（ｂ）に示したような傾斜面を有するリール本体側規制体６０に当接すると、図１２（ｂ）に示すように、下方部材３５ｂはバネ３８ａの付勢力に抗して圧縮され上昇することができる。すなわち、下方部材３５ｂに形成されたボスは、リール本体側規制体を、下方部材が圧縮されるという作用により乗り越えることができ、より衝撃の少ない状態で規制解除を行なうことが可能になる。
【００５０】
なお、このような実施形態の構成においても、規制解除手段に加えて、上述したような衝撃吸収手段を設けておいても良い。
【００５１】
図１３は、本発明の第３の実施形態を示す図であり、（ａ）は、ロータ側規制体がリール本体側規制体に当接している状態を示す図、（ｂ）は、図（ａ）のＨ−Ｈ線に沿った断面図である。
【００５２】
この実施形態は、回転規制機構の内、リール本体側規制体が、上述した衝撃吸収手段としての機能と、規制解除手段としての機能を備えた構成となっている。
【００５３】
具体的には、リール本体２のフランジ２ｂ部分に、一対の突部２ｅを形成しておき、ここに、リール本体側規制体として、ロータの回転方向に沿って山状に屈曲形成（ロータの回転方向に対して上下方向に弾性変形可能に形成）されたリーフスプリング７０が固定ビス７２を介して配設されている。
【００５４】
このような構成によれば、上述した第１の実施形態のようなロータ側規制体であるボス３３がリーフスプリングに当接すると、図１３（ｂ）に示すように、そのバネ力により、当接時の衝撃を吸収しながら、ロータの釣糸巻取り方向への回転が規制される。そして、さらに、一定の負荷を超える力が作用したとき、リーフスプリング７０が点線で示すように平坦状に弾性変形し、ボス３３は、その表面を乗り越えて、回転規制が解除されるようになる。
【００５５】
なお、このような構成においては、上述した各実施形態のロータ側規制体の構成を適用することが可能である。
【００５６】
上記した構成によれば、衝撃吸収手段としての機能と、規制解除手段としての機能を併せ持った回転規制機構を簡単かつ容易に得られるようになる。
【００５７】
以上、本発明の実施形態について説明したが、上述した回転規制機構については、ロータを、転がり式一方向クラッチによって、逆転方向への回転を規制した状態で正転方向への回転を規制するように構成されるものであれば、そのロータ側規制体と、リール本体側規制体の構成については、図に示した構造に限定されることはない。
【００５８】
【発明の効果】
以上、本発明によれば、仕掛け投擲時にロータをガタ付くことなく回転規制して、ベールの振り落ちを効果的に防止する魚釣用スピニングリールが得られる。
【図面の簡単な説明】
【図１】本発明に係る魚釣用スピニングリールの一実施形態を示す図。
【図２】図１に示す魚釣用スピニングリールにおいて、主要部の構成を示した部分断面図。
【図３】支持腕の外カバーを取外し、ロータ側規制体を露出させた状態を示しており、（ａ）は、ベールが釣糸巻取り位置に回動された状態を示す図、（ｂ）は、ベールが釣糸放出位置に回動された状態を示す図。
【図４】（ａ）は、図３（ａ）のＡ−Ａ線に沿った断面図、（ｂ）は、図（ａ）のＣ−Ｃ線に沿った断面図。
【図５】（ａ）は、図３（ｂ）のＢ−Ｂ線に沿った断面図、（ｂ）は、図（ａ）のＤ−Ｄ線に沿った断面図。
【図６】スプールを取外した状態のリール本体の前部を示す正面図であり、（ａ）は、ロータ側規制体とリール本体側規制体が当接する前の状態を示す図、（ｂ）は、ロータ側規制体とリール本体側規制体が当接した状態を示す図。
【図７】第１の実施形態の変形例を示す図であり、ロータ側規制体とリール本体側規制体とが当接した状態を示す図。
【図８】本発明の第２の実施形態を示しており、スプールを取外した状態のリール本体の前部を示す正面図であって、（ａ）は、ロータ側規制体とリール本体側規制体が当接する前の状態を示す図、（ｂ）は、ロータ側規制体とリール本体側規制体が当接した状態を示す図。
【図９】支持腕の内部構成を示す図であって、（ａ）は、ロータ側規制体とリール本体側規制体が当接する前の状態を示す図、（ｂ）は、図（ａ）のＥ−Ｅ線に沿った断面図。
【図１０】支持腕の内部構成を示す図であって、（ａ）は、ロータ側規制体がリール本体側規制体を乗り越えている状態を示す図、（ｂ）は、図（ａ）のＦ−Ｆ線に沿った断面図。
【図１１】第２の実施形態の変形例を示す図であり、（ａ）は、ロータ側規制体がリール本体側規制体を乗り越えている状態を示す図、（ｂ）は、図（ａ）のＧ−Ｇ線に沿った断面図。
【図１２】第２の実施形態の別の変形例を示す図であり、（ａ）は、ロータ側規制体を露出させた状態を示す図、（ｂ）は、規制解除手段が作動している状態を示す図。
【図１３】本発明の第３の実施形態を示しており、（ａ）は、ロータ側規制体がリール本体側規制体に当接している状態を示す図、（ｂ）は、図（ａ）のＨ−Ｈ線に沿った断面図。
【符号の説明】
１  魚釣用スピニングリール
２  リール本体
３  ロータ
３ａ  円筒部
３ｂ  支持腕
３ｃ  ベール支持部材
３ｄ  ベール
３ｅ  釣糸案内部
５  スプール
８  ハンドル
２０  転がり式一方向クラッチ
３０  回転規制機構
３１  ロータ側規制体
３２，３３  ボス
５０，６０，７０  リール本体側規制体
【図１】
0003976304.tif 000002
【図２】
0003976304.tif 000003
【図３】
0003976304.tif 000004
【図４】
0003976304.tif 000005
【図５】
0003976304.tif 000006
【図６】
0003976304.tif 000007
【図７】
0003976304.tif 000008
【図８】
0003976304.tif 000009
【図９】
0003976304.tif 000010
【図１０】
0003976304.tif 000011
【図１１】
0003976304.tif 000012
【図１２】
0003976304.tif 000013
【図１３】
0003976304.tif 000014